(57)【要約】【課題】回収された新聞紙を外観から新聞紙と識別でき、そのまま再生プラントに投入でき、かつ新聞結束に適した形態の古紙回収用紐を提供する。【解決手段】ケナフ繊維が１０〜１００質量％、残部が再生パルプまたは天然パルプからなる紐を、およそ日刊新聞紙１月分を束ねることのできる長さに切断して結束または包装した古紙回収用ケナフ紐。このケナフ紐１は、細紐２を撚って引っ張り強度を持たせることができる。また、このケナフ紐１は、ケナフ繊維で作った細紐と、再生パルプまたは天然パルプからなる細紐を撚って作ることもできる。ケナフ紐１は、古紙を再生するプラントにおいて、古紙と一緒に溶けて再生できるため、紐をほどかなくても再生プラントに供給できる。【選択図】          図１
2004149942.tif 000002
【特許請求の範囲】
【請求項１】
ケナフ繊維が１０〜１００質量％、残部が再生パルプまたは天然パルプからなる紐を、およそ日刊新聞紙１月分を束ねることのできる長さに切断して結束または包装したことを特徴とする古紙回収用ケナフ紐。
【請求項２】
前記紐は、細紐を撚ったものである請求項１記載の古紙回収用ケナフ紐。
【請求項３】
前記紐は、ケナフ繊維で作った細紐と、再生パルプまたは天然パルプからなる細紐を撚ったものである請求項２記載の古紙回収用ケナフ紐。
【発明の詳細な説明】
【０００１】
【発明の属する技術分野】
本発明は、非木材繊維であるケナフを使用した古紙回収用紐に関する。
【０００２】
【従来の技術】
環境破壊対策や地球温暖化防止のために、省資源や商品リサイクルの必要性が世界的規模で叫ばれている。
特に、近代の紙の製造の原料として木材パルプが使用されており、これが森林破壊による砂漠化につながり、ひいては、二酸化炭素の吸収が減少することによる地球温暖化を加速していると言われている。
【０００３】
このような紙資源枯渇化の対策として、古紙再利用の促進と、非木材を利用した紙の普及化が進められている。
古紙回収や、再生紙を使用することについては、紙を大量に使用し、消費している企業の方での取り組みが既に始められている。
【０００４】
一般家庭において発生する紙として多いのは、新聞紙や折り込みチラシである。紙は、月１回、市などの地方公共団体で回収するようにしているところが多く、１月分の新聞紙は８キログラム、夕刊やチラシを入れると１０キログラムほどになる。これを回収袋に入れたり、紐で束ねて、ゴミ出し日にゴミ置き場に置くようにしている。
古新聞を新聞回収に出すときの回収袋（新聞整理袋）には、ビニール袋や再生紙袋がある。
【０００５】
ところで、最近では、非木材紙原料材料としてケナフが注目されている。ケナフはアオイ科ハイビスカス属の一年植物で、木材に代わる紙資源として、コーヒーのフィルタやティッシュペーパなどに使われている。
ケナフは成長が早くて毎年紙資源として利用でき、二酸化炭素吸収能力が赤松の７．５倍ほどあり、また水中の窒素やリンの固定化に優れているため水の浄化にも寄与するなど、地球温暖化防止やクリーン化に役立つ木材の代替手段としてその利用拡大が図られている。
【０００６】
このような観点から、新聞の回収袋としても、ケナフの使用が試験的に始められている。
ケナフを衣料用の繊維として使用することについては、例えば特開２００１−２３４４２０号公報（特許文献１）に提案されている。
【０００７】
【特許文献１】
特開２００１−２３４４２０号公報
【０００８】
【発明が解決しようとする課題】
上述したように、従来においては、新聞紙をまとめるのに、回収袋に入れたり、ビニール紐で束ねているが、回収袋に入った新聞紙は、回収袋がビニール等の合成樹脂製の場合、処理場の方で回収袋から新聞紙を取り出すという作業が必要となる。また、ビニール紐で束ねられた新聞紙も、そのまま紙の再生プラントに投入するとビニールが不純物となるため、ビニール紐を切って新聞紙のみを再生プラントに投入するという手間を要する。
【０００９】
回収袋を紙製やケナフ製にすると、回収袋ごと再生プラントに投入できそうであるが、外観から見て、回収袋の内容が新聞紙なのか、他のゴミなのかが識別できず、この場合も目視や手による分別作業に手間がかかる。
【００１０】
このため、最近では、行政方から古紙回収には紐で束ねて出すように指導されているが、束ねてくくる紐はまちまちで、ビニール紐でくくられている新聞紙はビニール紐が不純物となるので、そのままでは再生紙にはできず、ゴミとして焼却される。
【００１１】
本発明者は、新聞販売に携わっている者であるが、紙資源を大量に供給する側から、省資源、地球温暖化防止について、その方策を思案してきた結果、新聞紙の回収および再利用と、ケナフの効用とを結びつけることに思い至った。
【００１２】
ケナフは、旧来より紙、袋、紐、布の原料として使用されていたことは承知していたが、これを、古紙回収紐として広く普及させるにはどうしたらいいか、熟慮した。
【００１３】
一般的な結束紐としては、ビニール紐がほとんどである。紙紐は引っ張り強度が低く、新聞結束紐としては不適である。ケナフ紐は市販されていない。たとえケナフ紐を市販することで、使用を呼びかけても、エコロジーに興味のない人は使用しないことが想定され、手元にあるビニール紐を使用することが想定され、古紙再生ができる状態になることが期待できない。
【００１４】
そこで本発明は、回収された新聞紙を外観から新聞紙と識別でき、そのまま再生プラントに投入でき、かつ新聞結束に適した形態の古紙回収用紐を提供することを目的とする。
【００１５】
【課題を解決するための手段】
本発明は、ケナフ繊維が１０〜１００質量％、残部が再生パルプまたは天然パルプからなる紐を、およそ日刊新聞紙１月分を束ねることのできる長さに切断して結束または包装したことを特徴とする古紙回収用ケナフ紐である。
【００１６】
本発明のケナフ紐は、ケナフ繊維を１００質量％使用したものでもいいが、ケナフ原料の供給量の面から、再生パルプや天然パルプを混合して製造したものでもよい。１０質量％未満であると、ケナフを使用していることの意義が低くなるため、少なくとも１０質量％はケナフ繊維を含むものとする。
【００１７】
ここで「ケナフ繊維」とは、ケナフの靱皮を精錬し開繊した糸状の繊維のほか、ケナフの靱皮から作ったパルプを漉いて作った紙を細切りにして撚ったものをも含む。
【００１８】
紐としては、１月分の新聞を束ねて８〜１０キログラム分を持ち上げるのに十分な強度を確保するため、ケナフ繊維を含む細紐を例えば３本、三つ撚りにして作ることができる。あるいは、ケナフ繊維で作った細紐と、再生パルプまたは天然パルプからなる細紐を撚り合わせて強度を高めることもできる。
【００１９】
【発明の実施の形態】
以下、本発明の実施の形態を図面を用いて説明する。
図１は本発明の実施の形態を示す古紙回収用ケナフ紐１の斜視図であり、細紐２を３本、三つ撚りにしたものである。細紐２は１本では１月分の新聞紙の重さ８〜１０キログラム分を結束して持ち上げるのに強度が足りないが、これを三つ撚りにすることで、強度が高くなる。
【００２０】
ケナフ紐１におけるケナフの使用量は１００質量％とすることが理想的であるが、ケナフの供給量を考慮して、少なくとも１０質量％以上含むものとする。残部の材料は、古紙を再生した再生パルプ、あるいは木材ないし非木材の天然パルプを用いる。化学繊維などの人工繊維は、古紙再生上、問題となるので、基本的には使用しない。
【００２１】
三つ撚りにする細紐２の一部は、強度を上げるために麻（非木材）などの材料とすることもできる。
【００２２】
このケナフ紐１を、図２に示すような、１月分の新聞紙３を束ねるのに必要な長さ、例えば２〜３ｍに切断したものを結束するか袋に入れて、新聞の購読者に、地球温暖化防止のアピールとともに配布することで、そのケナフ紐１を必然的に使用してもらうことができる。併せて、購読者に、省資源、エコロジーに寄与していることの観念と、古紙回収以外にも、省エネルギーや地球温暖化防止対する観念を普及させることができる。
なお、１月分の新聞を一まとめに束ねるだけでなく、２つぐらいに分けて束ねて、一束分を軽くしてもよい。
【００２３】
ケナフ製の紐を長尺のロールにして購読者に提供することも考えられるが、コスト的な問題があると共に、一度だけのケナフ使用の意義の説明よりも、毎月の必要な長さのケナフ紐の提供とその都度のエコロジーに対する説明の方が、アピール効果は絶大となる。但し、段ボール箱に古紙を入れて束ねる場合のように、長い紐が必要なときもあるので、それに対応できるよう、５０〜１００ｍのケナフ紐のロールも製造・販売し、任意の長さに切って使用するようにすることもできる。
【００２４】
【発明の効果】
上述したように、本発明によれば、ケナフ繊維が１０〜１００質量％、残部が再生パルプまたは天然パルプからなる紐を、およそ日刊新聞紙１月分を束ねることのできる長さに切断して結束または包装したことで、これを新聞の購読者に配布することで、必然的にケナフ紐を使用することを促すことができる。
【００２５】
古紙は何度もリサイクルできるが、新聞紙、雑誌などを束ねて回収に出すときに束ねる紐をビニール製からケナフ使用の紐に変えることによって、ケナフ紐は古紙を再生するプラントにおいて、古紙と一緒に溶けて再生されるため、古紙をほどかなくても結束したままプラントに供給でき、省力化することができる。
【００２６】
このように、本発明では環境と自然に優しい商品を提供し、これを用いて古紙の再生を促進することができ、総合的に、自然破壊防止、地球温暖化防止に多大に貢献することができる。
【図面の簡単な説明】
【図１】本発明の実施の形態を示す古紙回収用ケナフ紐の斜視図である。
【図２】本発明の古紙回収用ケナフ紐を使用した新聞紙の結束状態を示す斜視図である。
【符号の説明】
１  古紙回収用ケナフ紐
２  細紐
３  新聞紙
【図１】
2004149942.tif 000003
【図２】
2004149942.tif 000004